【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段により得られた画像データを用いて動画データと静止画データとを生成する信号処理手段と、
前記動画データを符号化してデータ量を圧縮する動画符号化手段と、
前記静止画データを符号化してデータ量を圧縮する静止画符号化手段と、
前記動画符号化手段によって符号化された動画データと前記静止画符号化手段によって符号化された静止画データとを記録媒体に記録する記録手段と、
前記記録手段により記録される動画データの画質を設定する設定手段と、
前記動画符号化手段と前記静止画符号化手段とを制御する制御手段とを備え、
前記信号処理手段は、前記動画データの記録中における静止画撮影指示に応じて前記静止画データを生成し、
前記記録手段は、前記動画データの記録中に前記静止画データを前記記録媒体に記録し、
前記制御手段は、前記設定手段により設定された画質に基づいて前記動画符号化手段を制御することにより前記動画データのデータ量を調整し、前記設定手段により設定された画質に対応したデータレートと前記記録媒体の記録データレートとに基づいて前記静止画符号化手段を制御することにより、前記動画データの記録中に生成される前記静止画データのデータ量を調整することを特徴とする撮像装置。
【請求項２】
前記制御手段は、前記記録媒体の記録データレートと前記設定手段により設定された画質に対応したデータレートとの差に基づいて、前記静止画データのデータ量を調整することを特徴とする請求項１に記載の撮像装置。
【請求項３】
前記信号処理手段は、単位時間あたりＮ画面の前記静止画データを生成し、前記制御手段は、Ｎ画面それぞれの前記静止画データの情報量が同じになるように前記静止画データのデータ量を調整することを特徴とする請求項１または２に記載の撮像装置。
【請求項４】
前記設定手段は、ユーザの操作に応じて複数の画質のうちの何れかを選択することを特徴とする請求項１から３の何れか１項に記載の撮像装置。
【請求項５】
前記設定手段は更に、前記記録手段により記録される静止画データの画質を設定し、前記制御手段は、前記設定手段により設定された静止画データの画質に基づいて、前記動画データを記録していないときに前記信号処理手段により生成される静止画データのデータ量を調整することを特徴とする請求項１に記載の撮像装置。
【請求項６】
撮像手段と、
前記撮像手段により得られた画像データを用いて動画データと静止画データとを生成する信号処理手段と、
前記動画データを符号化してデータ量を圧縮する動画符号化手段と、
前記静止画データを符号化してデータ量を圧縮する静止画符号化手段と、
前記動画符号化手段によって符号化された動画データと前記静止画符号化手段によって符号化された静止画データとを記録媒体に記録する記録手段と、
前記記録手段により記録される動画データの画質を設定する設定手段と、
前記動画符号化手段と前記静止画符号化手段とを制御する制御手段とを備え、
前記信号処理手段は、前記動画データの記録中における静止画撮影指示に応じて前記静止画データを生成し、
前記制御手段は、前記動画データの記録中に前記符号化された静止画データを記録できるように、前記設定手段により設定された画質に対応したデータレートと前記記録媒体の記録データレートとに基づいて、前記静止画符号化手段により符号化される静止画データのデータ量を調整することを特徴とする撮像装置。
【請求項７】
撮像手段と、
前記撮像手段により得られた画像データを用いて動画データと静止画データとを生成する信号処理手段と、
前記動画データを符号化してデータ量を圧縮する動画符号化手段と、
前記静止画データを符号化してデータ量を圧縮する静止画符号化手段と、
前記動画符号化手段によって符号化された動画データと前記静止画符号化手段によって符号化された静止画データとを記録媒体に記録する記録手段と、
前記記録手段により記録される静止画データの画質を設定する設定手段と、
前記動画符号化手段と前記静止画符号化手段とを制御する制御手段とを備え、
前記信号処理手段は、前記動画データの記録中における静止画撮影指示に応じて前記静止画データを生成し、
前記記録手段は、前記動画データの記録中に前記静止画データを前記記録媒体に記録し、
前記制御手段は、前記設定手段により設定された画質に基づいて前記静止画符号化手段を制御することにより前記静止画データのデータ量を調整し、前記設定手段により設定された画質に基づいて前記動画データの記録中に符号化された前記静止画データのデータ量と前記記録媒体の記録データレートとに基づいて前記動画符号化手段を制御することにより前記動画データのデータ量を調整することを特徴とする撮像装置。
【請求項８】
前記制御手段は、前記記録媒体の記録データレートと前記静止画データのデータ量との差に基づいて前記動画データのデータ量を調整することを特徴とする請求項７に記載の撮像装置。
【請求項９】
前記設定手段は、ユーザの操作に応じて複数の所定の画質のうちの何れかを選択することを特徴とする請求項７または８に記載の撮像装置。
【請求項１０】
前記設定手段は更に、前記記録手段により記録される動画データの画質を設定し、
前記制御手段は、前記動画データの記録開始の指示に応じて、前記設定手段により設定された動画データの画質に基づいて前記動画データのデータ量を調整し、前記動画データの記録中における静止画撮影指示に応じて、前記動画データの記録中に符号化された前記静止画データのデータ量と前記記録媒体の記録データレートとに基づいて、前記動画データのデータ量を調整することを特徴とする請求項７に記載の撮像装置。
【請求項１１】
前記制御手段は、前記記録手段が前記静止画データの記録を終了した場合、前記設定手段により設定された動画データの画質に基づいて前記動画データのデータ量を調整することを特徴とする請求項１０に記載の撮像装置。
【請求項１２】
撮像手段と、
前記撮像手段により得られた画像データを用いて動画データと静止画データとを生成する信号処理手段と、
前記動画データを符号化してデータ量を圧縮する動画符号化手段と、
前記静止画データを符号化してデータ量を圧縮する静止画符号化手段と、
前記動画符号化手段によって符号化された動画データと前記静止画符号化手段によって符号化された静止画データとを記録媒体に記録する記録手段と、
前記記録手段により記録される静止画データの画質を設定する設定手段と、
前記動画符号化手段と前記静止画符号化手段とを制御する制御手段とを備え、
前記信号処理手段は、前記動画データの記録中における静止画撮影指示に応じて前記静止画データを生成し、
前記記録手段は、前記動画データの記録中に前記静止画データを前記記録媒体に記録し、
前記制御手段は、前記動画データの記録中に前記符号化された静止画データを記録できるように、前記設定手段により設定された画質に基づいて前記動画データの記録中に符号化された前記静止画データのデータ量と前記記録媒体の記録データレートとに基づいて、前記動画符号化手段により符号化される動画データのデータ量を調整することを特徴とする撮像装置。
【請求項１３】
撮像手段と、
前記撮像手段により得られた画像データを用いて動画データと静止画データとを生成する信号処理手段と、
前記動画データを符号化してデータ量を圧縮する動画符号化手段と、
前記静止画データを符号化してデータ量を圧縮する静止画符号化手段と、
前記動画符号化手段によって符号化された動画データと前記静止画符号化手段によって符号化された静止画データとを記録媒体に記録する記録手段と、
前記記録手段により記録される動画データの画質と、前記記録手段により記録される静止画データの画質とを、それぞれ設定する設定手段と、
第１のモードと第２のモードとの何れかを選択する選択手段と、
前記選択手段により選択されたモードに応じて、前記動画符号化手段と前記静止画符号化手段とを制御する制御手段とを備え、
前記記録手段は、前記動画データの記録中に前記静止画データを前記記録媒体に記録し、
前記制御手段は、前記第１のモードにおいては、前記設定手段により設定された動画データの画質に基づいて前記動画符号化手段を制御することにより前記動画データのデータ量を調整し、前記設定手段により設定された動画データの画質に対応したデータレートと前記記録媒体の記録データレートとに基づいて前記静止画符号化手段を制御することにより前記動画データの記録中に記録される前記静止画データのデータ量を調整し、前記第２のモードにおいては、前記設定手段により設定された静止画データの画質に基づいて前記静止画符号化手段を制御することにより前記静止画データのデータ量を調整し、前記設定手段により設定された静止画データの画質に基づいて前記動画データの記録中に符号化された前記静止画データのデータ量と前記記録媒体の記録データレートとに基づいて前記動画符号化手段を制御することにより前記動画データのデータ量を調整することを特徴とする撮像装置。
【請求項１４】
前記制御手段は、前記第１のモードにおいて、前記動画データの記録中に前記符号化された静止画データを記録できるように、前記静止画符号化手段により符号化される静止画データのデータ量を調整することを特徴とする請求項１３に記載の撮像装置。
【請求項１５】
前記制御手段は、前記第２のモードにおいて、前記動画データの記録中に前記符号化された静止画データを記録できるように、前記動画符号化手段により符号化される動画データのデータ量を調整することを特徴とする請求項１３に記載の撮像装置。
【請求項１６】
撮像手段により得られた画像データを用いて動画データと静止画データとを生成する信号処理工程と、
前記動画データを符号化してデータ量を圧縮する動画符号化工程と、
前記静止画データを符号化してデータ量を圧縮する静止画符号化工程と、
前記動画符号化工程において符号化された動画データと前記静止画符号化工程において符号化された静止画データとを記録媒体に記録する記録工程と、
前記記録工程において記録される動画データの画質を設定する設定工程と、
前記動画符号化工程と前記静止画符号化工程とにおける処理を制御する制御工程とを備え、
前記信号処理工程においては、前記動画データの記録中における静止画撮影指示に応じて前記静止画データを生成し、
前記記録工程においては、前記動画データの記録中に前記静止画データを前記記録媒体に記録し、
前記制御工程においては、前記設定工程において設定された画質に基づいて前記動画符号化工程における処理を制御することにより前記動画データのデータ量を調整し、前記設定工程において設定された画質に対応したデータレートと前記記録媒体の記録データレートとに基づいて前記静止画符号化工程における処理を制御することにより、前記動画データの記録中に生成される前記静止画データのデータ量を調整することを特徴とする撮像装置の制御方法。
【請求項１７】
撮像手段により得られた画像データを用いて動画データと静止画データとを生成する信号処理工程と、
前記動画データを符号化してデータ量を圧縮する動画符号化工程と、
前記静止画データを符号化してデータ量を圧縮する静止画符号化工程と、
前記動画符号化工程において符号化された動画データと前記静止画符号化工程において符号化された静止画データとを記録媒体に記録する記録工程と、
前記記録工程において記録される動画データの画質を設定する設定工程と、
前記動画符号化工程と前記静止画符号化工程とにおける処理を制御する制御工程とを備え、
前記信号処理工程においては、前記動画データの記録中における静止画撮影指示に応じて前記静止画データを生成し、
前記制御工程においては、前記動画データの記録中に前記符号化された静止画データを記録できるように、前記設定工程において設定された画質に対応したデータレートと前記記録媒体の記録データレートとに基づいて、前記静止画符号化工程において符号化される静止画データのデータ量を調整することを特徴とする撮像装置の制御方法。
【請求項１８】
撮像手段により得られた画像データを用いて動画データと静止画データとを生成する信号処理工程と、
前記動画データを符号化してデータ量を圧縮する動画符号化工程と、
前記静止画データを符号化してデータ量を圧縮する静止画符号化工程と、
前記動画符号化工程において符号化された動画データと前記静止画符号化工程において符号化された静止画データとを記録媒体に記録する記録工程と、
前記記録工程において記録される静止画データの画質を設定する設定工程と、
前記動画符号化工程と前記静止画符号化工程とにおける処理を制御する制御工程とを備え、
前記信号処理工程においては、前記動画データの記録中における静止画撮影指示に応じて前記静止画データを生成し、
前記記録工程においては、前記動画データの記録中に前記静止画データを前記記録媒体に記録し、
前記制御工程においては、前記設定工程において設定された画質に基づいて前記静止画符号化工程における処理を制御することにより前記静止画データのデータ量を調整し、前記設定工程において設定された画質に基づいて前記動画データの記録中に符号化された前記静止画データのデータ量と前記記録媒体の記録データレートとに基づいて前記動画符号化工程における処理を制御することにより前記動画データのデータ量を調整することを特徴とする撮像装置の制御方法。
【請求項１９】
撮像手段により得られた画像データを用いて動画データと静止画データとを生成する信号処理工程と、
前記動画データを符号化してデータ量を圧縮する動画符号化工程と、
前記静止画データを符号化してデータ量を圧縮する静止画符号化工程と、
前記動画符号化工程において符号化された動画データと前記静止画符号化工程において符号化された静止画データとを記録媒体に記録する記録工程と、
前記記録工程において記録される静止画データの画質を設定する設定工程と、
前記動画符号化工程と前記静止画符号化工程とにおける処理を制御する制御工程とを備え、
前記信号処理工程においては、前記動画データの記録中における静止画撮影指示に応じて前記静止画データを生成し、
前記記録工程においては、前記動画データの記録中に前記静止画データを前記記録媒体に記録し、
前記制御工程においては、前記動画データの記録中に前記符号化された静止画データを記録できるように、前記設定工程において設定された画質に基づいて前記動画データの記録中に符号化された前記静止画データのデータ量と前記記録媒体の記録データレートとに基づいて、前記動画符号化工程において符号化される動画データのデータ量を調整することを特徴とする撮像装置の制御方法。
【請求項２０】
撮像手段により得られた画像データを用いて動画データと静止画データとを生成する信号処理工程と、
前記動画データを符号化してデータ量を圧縮する動画符号化工程と、
前記静止画データを符号化してデータ量を圧縮する静止画符号化工程と、
前記動画符号化工程において符号化された動画データと前記静止画符号化工程において符号化された静止画データとを記録媒体に記録する記録工程と、
前記記録工程において記録される動画データの画質と、前記記録工程において記録される静止画データの画質とを、それぞれ設定する設定工程と、
第１のモードと第２のモードとの何れかを選択する選択工程と、
前記選択工程において選択されたモードに応じて、前記動画符号化工程と前記静止画符号化工程とにおける処理を制御する制御工程とを備え、
前記記録工程においては、前記動画データの記録中に前記静止画データを前記記録媒体に記録し、
前記制御工程は、前記第１のモードにおいては、前記設定工程において設定された動画データの画質に基づいて前記動画符号化工程における処理を制御することにより前記動画データのデータ量を調整し、前記設定工程において設定された動画データの画質に対応したデータレートと前記記録媒体の記録データレートとに基づいて前記静止画符号化工程における処理を制御することにより前記動画データの記録中に記録される前記静止画データのデータ量を調整し、前記第２のモードにおいては、前記設定工程において設定された静止画データの画質に基づいて前記静止画符号化工程における処理を制御することにより前記静止画データのデータ量を調整し、前記設定工程において設定された静止画データの画質に基づいて前記動画データの記録中に符号化された前記静止画データのデータ量と前記記録媒体の記録データレートとに基づいて前記動画符号化工程における処理を制御することにより前記動画データのデータ量を調整することを特徴とする撮像装置の制御方法。
【手続補正２】
【補正対象書類名】明細書
【補正対象項目名】発明の名称
【補正方法】変更
【補正の内容】
【発明の名称】撮像装置及びその制御方法
【手続補正３】
【補正対象書類名】明細書
【補正対象項目名】０００１
【補正方法】変更
【補正の内容】
【０００１】
本発明は撮像装置及びその制御方法に関し、特に、動画と静止画とを撮影するために用いて好適な技術に関する。
【手続補正４】
【補正対象書類名】明細書
【補正対象項目名】００１２
【補正方法】変更
【補正の内容】
【００１２】
本発明の撮像装置は、撮像手段と、前記撮像手段により得られた画像データを用いて動画データと静止画データとを生成する信号処理手段と、前記動画データを符号化してデータ量を圧縮する動画符号化手段と、前記静止画データを符号化してデータ量を圧縮する静止画符号化手段と、前記動画符号化手段によって符号化された動画データと前記静止画符号化手段によって符号化された静止画データとを記録媒体に記録する記録手段と、前記記録手段により記録される動画データの画質を設定する設定手段と、前記動画符号化手段と前記静止画符号化手段とを制御する制御手段とを備え、前記信号処理手段は、前記動画データの記録中における静止画撮影指示に応じて前記静止画データを生成し、前記記録手段は、前記動画データの記録中に前記静止画データを前記記録媒体に記録し、前記制御手段は、前記設定手段により設定された画質に基づいて前記動画符号化手段を制御することにより前記動画データのデータ量を調整し、前記設定手段により設定された画質に対応したデータレートと前記記録媒体の記録データレートとに基づいて前記静止画符号化手段を制御することにより、前記動画データの記録中に生成される前記静止画データのデータ量を調整することを特徴とする。
また、本発明の撮像装置の他の特徴とするところは、撮像手段と、前記撮像手段により得られた画像データを用いて動画データと静止画データとを生成する信号処理手段と、前記動画データを符号化してデータ量を圧縮する動画符号化手段と、前記静止画データを符号化してデータ量を圧縮する静止画符号化手段と、前記動画符号化手段によって符号化された動画データと前記静止画符号化手段によって符号化された静止画データとを記録媒体に記録する記録手段と、前記記録手段により記録される動画データの画質を設定する設定手段と、前記動画符号化手段と前記静止画符号化手段とを制御する制御手段とを備え、前記信号処理手段は、前記動画データの記録中における静止画撮影指示に応じて前記静止画データを生成し、前記制御手段は、前記動画データの記録中に前記符号化された静止画データを記録できるように、前記設定手段により設定された画質に対応したデータレートと前記記録媒体の記録データレートとに基づいて、前記静止画符号化手段により符号化される静止画データのデータ量を調整することを特徴とする。
また、本発明の撮像装置のその他の特徴とするところは、撮像手段と、前記撮像手段により得られた画像データを用いて動画データと静止画データとを生成する信号処理手段と、前記動画データを符号化してデータ量を圧縮する動画符号化手段と、前記静止画データを符号化してデータ量を圧縮する静止画符号化手段と、前記動画符号化手段によって符号化された動画データと前記静止画符号化手段によって符号化された静止画データとを記録媒体に記録する記録手段と、前記記録手段により記録される静止画データの画質を設定する設定手段と、前記動画符号化手段と前記静止画符号化手段とを制御する制御手段とを備え、前記信号処理手段は、前記動画データの記録中における静止画撮影指示に応じて前記静止画データを生成し、前記記録手段は、前記動画データの記録中に前記静止画データを前記記録媒体に記録し、前記制御手段は、前記設定手段により設定された画質に基づいて前記静止画符号化手段を制御することにより前記静止画データのデータ量を調整し、前記設定手段により設定された画質に基づいて前記動画データの記録中に符号化された前記静止画データのデータ量と前記記録媒体の記録データレートとに基づいて前記動画符号化手段を制御することにより前記動画データのデータ量を調整することを特徴とする。
また、本発明の撮像装置のその他の特徴とするところは、撮像手段と、前記撮像手段により得られた画像データを用いて動画データと静止画データとを生成する信号処理手段と、前記動画データを符号化してデータ量を圧縮する動画符号化手段と、前記静止画データを符号化してデータ量を圧縮する静止画符号化手段と、前記動画符号化手段によって符号化された動画データと前記静止画符号化手段によって符号化された静止画データとを記録媒体に記録する記録手段と、前記記録手段により記録される静止画データの画質を設定する設定手段と、前記動画符号化手段と前記静止画符号化手段とを制御する制御手段とを備え、前記信号処理手段は、前記動画データの記録中における静止画撮影指示に応じて前記静止画データを生成し、前記記録手段は、前記動画データの記録中に前記静止画データを前記記録媒体に記録し、前記制御手段は、前記動画データの記録中に前記符号化された静止画データを記録できるように、前記設定手段により設定された画質に基づいて前記動画データの記録中に符号化された前記静止画データのデータ量と前記記録媒体の記録データレートとに基づいて、前記動画符号化手段により符号化される動画データのデータ量を調整することを特徴とする。
また、本発明の撮像装置のその他の特徴とするところは、撮像手段と、前記撮像手段により得られた画像データを用いて動画データと静止画データとを生成する信号処理手段と、前記動画データを符号化してデータ量を圧縮する動画符号化手段と、前記静止画データを符号化してデータ量を圧縮する静止画符号化手段と、前記動画符号化手段によって符号化された動画データと前記静止画符号化手段によって符号化された静止画データとを記録媒体に記録する記録手段と、前記記録手段により記録される動画データの画質と、前記記録手段により記録される静止画データの画質とを、それぞれ設定する設定手段と、第１のモードと第２のモードとの何れかを選択する選択手段と、前記選択手段により選択されたモードに応じて、前記動画符号化手段と前記静止画符号化手段とを制御する制御手段とを備え、前記記録手段は、前記動画データの記録中に前記静止画データを前記記録媒体に記録し、前記制御手段は、前記第１のモードにおいては、前記設定手段により設定された動画データの画質に基づいて前記動画符号化手段を制御することにより前記動画データのデータ量を調整し、前記設定手段により設定された動画データの画質に対応したデータレートと前記記録媒体の記録データレートとに基づいて前記静止画符号化手段を制御することにより前記動画データの記録中に記録される前記静止画データのデータ量を調整し、前記第２のモードにおいては、前記設定手段により設定された静止画データの画質に基づいて前記静止画符号化手段を制御することにより前記静止画データのデータ量を調整し、前記設定手段により設定された静止画データの画質に基づいて前記動画データの記録中に符号化された前記静止画データのデータ量と前記記録媒体の記録データレートとに基づいて前記動画符号化手段を制御することにより前記動画データのデータ量を調整することを特徴とする。
本発明の撮像装置の制御方法は、撮像手段により得られた画像データを用いて動画データと静止画データとを生成する信号処理工程と、前記動画データを符号化してデータ量を圧縮する動画符号化工程と、前記静止画データを符号化してデータ量を圧縮する静止画符号化工程と、前記動画符号化工程において符号化された動画データと前記静止画符号化工程において符号化された静止画データとを記録媒体に記録する記録工程と、前記記録工程において記録される動画データの画質を設定する設定工程と、前記動画符号化工程と前記静止画符号化工程とにおける処理を制御する制御工程とを備え、前記信号処理工程においては、前記動画データの記録中における静止画撮影指示に応じて前記静止画データを生成し、前記記録工程においては、前記動画データの記録中に前記静止画データを前記記録媒体に記録し、前記制御工程においては、前記設定工程において設定された画質に基づいて前記動画符号化工程における処理を制御することにより前記動画データのデータ量を調整し、前記設定工程において設定された画質に対応したデータレートと前記記録媒体の記録データレートとに基づいて前記静止画符号化工程における処理を制御することにより、前記動画データの記録中に生成される前記静止画データのデータ量を調整することを特徴とする。
また、本発明の撮像装置の制御方法の他の特徴とするところは、撮像手段により得られた画像データを用いて動画データと静止画データとを生成する信号処理工程と、前記動画データを符号化してデータ量を圧縮する動画符号化工程と、前記静止画データを符号化してデータ量を圧縮する静止画符号化工程と、前記動画符号化工程において符号化された動画データと前記静止画符号化工程において符号化された静止画データとを記録媒体に記録する記録工程と、前記記録工程において記録される動画データの画質を設定する設定工程と、前記動画符号化工程と前記静止画符号化工程とにおける処理を制御する制御工程とを備え、前記信号処理工程においては、前記動画データの記録中における静止画撮影指示に応じて前記静止画データを生成し、前記制御工程においては、前記動画データの記録中に前記符号化された静止画データを記録できるように、前記設定工程において設定された画質に対応したデータレートと前記記録媒体の記録データレートとに基づいて、前記静止画符号化工程において符号化される静止画データのデータ量を調整することを特徴とする。
また、本発明の撮像装置の制御方法のその他の特徴とするところは、撮像手段により得られた画像データを用いて動画データと静止画データとを生成する信号処理工程と、前記動画データを符号化してデータ量を圧縮する動画符号化工程と、前記静止画データを符号化してデータ量を圧縮する静止画符号化工程と、前記動画符号化工程において符号化された動画データと前記静止画符号化工程において符号化された静止画データとを記録媒体に記録する記録工程と、前記記録工程において記録される静止画データの画質を設定する設定工程と、前記動画符号化工程と前記静止画符号化工程とにおける処理を制御する制御工程とを備え、前記信号処理工程においては、前記動画データの記録中における静止画撮影指示に応じて前記静止画データを生成し、前記記録工程においては、前記動画データの記録中に前記静止画データを前記記録媒体に記録し、前記制御工程においては、前記設定工程において設定された画質に基づいて前記静止画符号化工程における処理を制御することにより前記静止画データのデータ量を調整し、前記設定工程において設定された画質に基づいて前記動画データの記録中に符号化された前記静止画データのデータ量と前記記録媒体の記録データレートとに基づいて前記動画符号化工程における処理を制御することにより前記動画データのデータ量を調整することを特徴とする。
また、本発明の撮像装置の制御方法のその他の特徴とするところは、撮像手段により得られた画像データを用いて動画データと静止画データとを生成する信号処理工程と、前記動画データを符号化してデータ量を圧縮する動画符号化工程と、前記静止画データを符号化してデータ量を圧縮する静止画符号化工程と、前記動画符号化工程において符号化された動画データと前記静止画符号化工程において符号化された静止画データとを記録媒体に記録する記録工程と、前記記録工程において記録される静止画データの画質を設定する設定工程と、前記動画符号化工程と前記静止画符号化工程とにおける処理を制御する制御工程とを備え、前記信号処理工程においては、前記動画データの記録中における静止画撮影指示に応じて前記静止画データを生成し、前記記録工程においては、前記動画データの記録中に前記静止画データを前記記録媒体に記録し、前記制御工程においては、前記動画データの記録中に前記符号化された静止画データを記録できるように、前記設定工程において設定された画質に基づいて前記動画データの記録中に符号化された前記静止画データのデータ量と前記記録媒体の記録データレートとに基づいて、前記動画符号化工程において符号化される動画データのデータ量を調整することを特徴とする。
また、本発明の撮像装置の制御方法のその他の特徴とするところは、撮像手段により得られた画像データを用いて動画データと静止画データとを生成する信号処理工程と、前記動画データを符号化してデータ量を圧縮する動画符号化工程と、前記静止画データを符号化してデータ量を圧縮する静止画符号化工程と、前記動画符号化工程において符号化された動画データと前記静止画符号化工程において符号化された静止画データとを記録媒体に記録する記録工程と、前記記録工程において記録される動画データの画質と、前記記録工程において記録される静止画データの画質とを、それぞれ設定する設定工程と、第１のモードと第２のモードとの何れかを選択する選択工程と、前記選択工程において選択されたモードに応じて、前記動画符号化工程と前記静止画符号化工程とにおける処理を制御する制御工程とを備え、前記記録工程においては、前記動画データの記録中に前記静止画データを前記記録媒体に記録し、前記制御工程は、前記第１のモードにおいては、前記設定工程において設定された動画データの画質に基づいて前記動画符号化工程における処理を制御することにより前記動画データのデータ量を調整し、前記設定工程において設定された動画データの画質に対応したデータレートと前記記録媒体の記録データレートとに基づいて前記静止画符号化工程における処理を制御することにより前記動画データの記録中に記録される前記静止画データのデータ量を調整し、前記第２のモードにおいては、前記設定工程において設定された静止画データの画質に基づいて前記静止画符号化工程における処理を制御することにより前記静止画データのデータ量を調整し、前記設定工程において設定された静止画データの画質に基づいて前記動画データの記録中に符号化された前記静止画データのデータ量と前記記録媒体の記録データレートとに基づいて前記動画符号化工程における処理を制御することにより前記動画データのデータ量を調整することを特徴とする。